(57)【要約】【課題】浴槽水位を正確に検知することができる熱源機を提供する。【解決手段】熱源機は、浴槽２０に湯水を供給可能な熱源機であって、バーナ２と、送風機３と、筺体１と、圧力センサ１１と、制御部１２とを備えている。送風機３はバーナ２に燃焼用空気を供給するためのものである。筺体１はバーナ２および送風機３を収容可能なものである。圧力センサ１１は筺体１内の気圧と、浴槽２０の湯水の圧力との差圧を検知可能なものである。制御部１２は送風機３の回転数の変化に伴う筺体１内の気圧の変動に基づいて圧力センサ１１で検知した差圧を補正するものである。【選択図】図１
2015121360.tif 000002
【特許請求の範囲】
【請求項１】
浴槽に湯水を供給可能な熱源機であって、
バーナと、
前記バーナに燃焼用空気を供給するための送風機と、
前記バーナおよび前記送風機を収容可能な筺体と、
前記筺体内の気圧と、前記浴槽の湯水の圧力との差圧を検知可能な圧力センサと、
前記送風機の回転数の変化に伴う前記筺体内の気圧の変動に基づいて前記圧力センサで検知した前記差圧を補正する制御部とを備えた、熱源機。
【請求項２】
前記制御部は、
前記送風機の回転数を検知可能な回転数検知部と、
前記送風機の回転数と前記筺体内の気圧の変動との対応関係を記憶する記憶部とを含み、
前記記憶部に記憶された前記対応関係に基づいて、前記回転数検知部によって検知された前記送風機の回転数から導出された前記筺体内の気圧の変動に基づいて前記圧力センサで検知した前記差圧を補正するように構成されている、熱源機。
【請求項３】
前記送風機は、羽根と、羽根を回転可能なモータとを含み
前記回転数検知部は、前記モータの印加電流値に基づいて前記送風機の回転数を算出するように構成されている、熱源機。
【請求項４】
前記送風機の回転数と前記筺体内の気圧の変動との前記対応関係は、第１および第２の回転数と、前記第１および第２の回転数のそれぞれに対応する第１および第２の気圧の変動とによって規定される、請求項２または３に記載の熱源機。
【請求項５】
前記第１および第２の回転数の間の第３の回転数と、前記第３の回転数に対応する第３の気圧の変動は、前記第１および第２の回転数に基づく線形補間により算出される、請求項４に記載の熱源機。
【請求項６】
前記送風機の回転数と前記筺体内の気圧の変動との前記対応関係は、前記熱源機が設置された状態で、前記熱源機を運転することで新たに作成される、請求項２〜５のいずれか１項に記載の熱源機。
【請求項７】
前記送風機の回転数と前記筺体内の気圧の変動との前記対応関係は、前記熱源機が設置された状態で、前記熱源機を運転することであらかじめ記憶された値を補正して作成される、請求項２〜５のいずれか１項に記載の熱源機。 
【発明の詳細な説明】
【技術分野】
【０００１】
本発明は、熱源機に関し、特に、浴槽に湯水を供給可能な熱源機に関するものである。
【背景技術】
【０００２】
従来、全自動式風呂釜では浴槽水位を検知するために風呂釜（熱源機）内に圧力センサが設けられたものがある。この圧力センサは浴槽水の水圧と熱源機内の気圧との差によって浴槽水位を検知するため、熱源機内の気圧によって圧力センサで検知される浴槽水位は影響を受ける。
【０００３】
熱源機は、バーナに燃焼用空気を供給するための送風機を有している。この送風機のファンが回転することによって熱源機内の気圧は大気圧よりも低くなる。たとえば、特開２００３−２８７２２５号公報（特許文献１）には、給湯装置のファンモータの駆動に伴って筺体内に開口部から空気が吸引されることが開示されている。つまり、送風ファンの回転によって筺体内の気圧が大気圧よりも低くなることが開示されている。
【先行技術文献】
【特許文献】
【０００４】
【特許文献１】特開２００３−２８７２２５号公報
【発明の概要】
【発明が解決しようとする課題】
【０００５】
上記のように燃焼時には送風ファンの回転によって熱源機内の気圧が負圧となるため、この負圧の影響によって圧力センサで検知される浴槽水位は大気圧において圧力センサで検知される浴槽水位と異なる。つまり、この負圧の影響によって圧力センサは浴槽水位を正確に検知することができないという問題がある。
【０００６】
本発明は上記の課題を鑑みてなされたものであり、その目的は、浴槽水位を正確に検知することができる熱源機を提供することである。
【課題を解決するための手段】
【０００７】
本発明の熱源機は、浴槽に湯水を供給可能な熱源機であって、バーナと、送風機と、筺体と、圧力センサと、制御部とを備えている。送風機はバーナに燃焼用空気を供給するためのものである。筺体はバーナおよび送風機を収容可能なものである。圧力センサは筺体内の気圧と、浴槽の湯水の圧力との差圧を検知可能なものである。制御部は送風機の回転数の変化に伴う筺体内の気圧の変動に基づいて圧力センサで検知した差圧を補正するものである。
【０００８】
本発明の熱源機によれば、送風機の回転数に伴って筺体内の気圧が負圧になっても、制御部が送風機の回転数の変化に伴う筺体内の気圧の変動に基づいて圧力センサで検知した差圧を補正するため、浴槽水位を正確に検知することができる。
【０００９】
上記の熱源機において、制御部は、送風機の回転数を検知可能な回転数検知部と、送風機の回転数と筺体内の気圧の変動との対応関係を記憶する記憶部とを含んでいる。制御部は、記憶部に記憶された対応関係に基づいて、回転数検知部によって検知された送風機の回転数から導出された筺体内の気圧の変動に基づいて圧力センサで検知した差圧を補正するように構成されている。このため、記憶部に記憶された対応関係に基づいて、回転数検知部によって検知された送風機の回転数から導出された筺体内の気圧の変動に基づいて圧力センサで検知した差圧を補正することができる。これにより、浴槽水位を正確に検知することができる。
【００１０】
上記の熱源機において、送風機は、羽根と、羽根を回転可能なモータとを含んでいる。回転数検知部は、モータの印加電流値に基づいて送風機の回転数を算出するように構成されている。このため、モータの印加電流値によって、送風機の回転数を算出することができる。
【００１１】
上記の熱源機において、送風機の回転数と筺体内の気圧の変動との対応関係は、第１および第２の回転数と、第１および第２の回転数のそれぞれに対応する第１および第２の気圧の変動とによって規定される。このため、送風機の回転数と筺体内の気圧の変動との対応関係に基づいて圧力センサで検知した差圧を補正することができる。
【００１２】
上記の熱源機において、第１および第２の回転数の間の第３の回転数と、第３の回転数に対応する第３の気圧の変動は、第１および第２の回転数に基づく線形補間により算出される。このため、あらかじめ記憶されていない第３の回転数に対する第３の気圧の変動を正確に算出することできる。
【００１３】
上記の熱源機において、送風機の回転数と筺体内の気圧の変動との対応関係は、熱源機が設置された状態で、熱源機を運転することで新たに作成される。このため、熱源機が設置された状態に応じて送風機の回転数と筺体内の気圧の変動との対応関係を作成することができる。これにより、熱源機が設置された状態に応じて、圧力センサで検知した差圧を補正することができる。
【００１４】
上記の熱源機において、送風機の回転数と筺体内の気圧の変動との対応関係は、熱源機が設置された状態で、熱源機を運転することであらかじめ記憶された値を補正して作成される。このため、熱源機が設置された状態に応じて送風機の回転数と筺体内の気圧の変動との対応関係を迅速に作成することができる。これにより、熱源機が設置された状態に応じて、圧力センサで検知した差圧を迅速に補正することができる。
【発明の効果】
【００１５】
以上説明したように、本発明によれば、浴槽水位を正確に検知することができる。
【図面の簡単な説明】
【００１６】
【図１】本発明の一実施の形態における熱源機の構成を示す概略図である。
【図２】本発明の一実施の形態における熱源機の圧力センサの構成を示す概略断面図である。
【図３】図１に示す制御部の構成を説明するための機能ブロック図である。
【図４】本発明の一実施の形態における熱源機の浴槽水位の検知動作を示すフロー図である。
【図５】本発明の一実施の形態における変形例１の熱源機の浴槽水位の検知動作を示すフロー図である。
【図６】本発明の一実施の形態における変形例２の熱源機の浴槽水位の検知動作を示すフロー図である。
【発明を実施するための形態】
【００１７】
以下、本発明の実施の形態について図に基づいて説明する。
まず、本発明の一実施の形態における熱源機の構成について説明する。
【００１８】
図１を参照して、本実施の形態の熱源機は、浴槽２０に湯水を供給可能な熱源機である。本実施の形態における熱源機は、筺体１と、バーナ２と、送風機３と、熱交換器４と、給水配管５と、給湯配管６と、三方弁７と、戻り配管８と、往き配管９と、ポンプ１０と、圧力センサ１１と、制御部１２と、二方弁１３とを主に有している。
【００１９】
筺体１は、筺体１内外に連通するように設けられ、燃焼ガスを排気するための排気口１ａを有している。筺体１は、バーナ２、送風機３、熱交換器４、給水配管５、給湯配管６、三方弁７、戻り配管８、往き配管９、ポンプ１０、圧力センサ１１、制御部１２、二方弁１３を収容可能に構成されている。
【００２０】
バーナ２は、燃焼ガスを供給するためのものである。この燃焼ガスは、給湯側熱交換器４ａおよび風呂側熱交換器４ｂとの間で熱交換を行なうためのものである。バーナ２は熱源機の高さ方向の中央部に配置されている。
【００２１】
送風機３は、バーナ２に燃焼用の空気を供給するためのものである。送風機３は、羽根３ａと、羽根３ａを回転可能なモータ３ｂとを有している。モータ３ｂに電流が印加されることにより羽根３ａは回転するように構成されている。送風機３は、バーナ２よりも下方に配置されている。また、送風機３は熱交換器４よりも下方に配置されている。
【００２２】
熱交換器４は、バーナ２によって供給された燃焼ガスの熱を回収するためのものである。熱交換器４は、給湯側熱交換器４ａおよび風呂側熱交換器４ｂを有している。給湯側熱交換器４ａおよび風呂側熱交換器４ｂは、バーナ２よりも上方に配置されている。給湯側熱交換器４ａおよび風呂側熱交換器４ｂは排気口１ａの近傍に配置されている。給湯側熱交換器４ａおよび風呂側熱交換器４ｂはそれぞれ被加熱流体を流通可能な伝熱管と、この伝熱管を収容可能なケースとを有している。
【００２３】
給湯側熱交換器４ａの一方端に給水配管５が接続されており、他方端に給湯配管６が接続されている。給水配管５は、入水口５ａから給湯側熱交換器４ａに被加熱流体である水を給水可能に構成されている。給湯配管６は、給湯側熱交換器４ａから出湯口６ａに給湯側熱交換器４ａで温められた温水を給湯可能に構成されている。これにより、入水口５ａから給水された水は、給湯側熱交換器４ａを通過する際に燃焼ガスによって加熱されて出湯口６ａから給湯される。また、給水配管５と給湯配管６とは三方弁７に接続されている。
【００２４】
風呂側熱交換器４ｂの一方端に戻り配管８が接続されており、他方端に往き配管９が接続されている。戻り配管８は浴槽２０から風呂側熱交換器４ｂに被加熱流体である湯水を供給可能に構成されている。往き配管９は風呂側熱交換器４ｂから浴槽２０に風呂側熱交換器４ｂで温められた湯水を供給可能に構成されている。これにより、浴槽２０から風呂側熱交換器４ｂに供給された湯水は、風呂側熱交換器４ｂを通過する際に燃焼ガスによって加熱されて再び浴槽２０に供給される。
【００２５】
また、戻り配管８には、ポンプ１０と、圧力センサ１１とが接続されている。さらに戻り配管８と給湯配管６とは二方弁１３に接続されている。ポンプ１０は湯水を浴槽２０と風呂側熱交換器４ｂとの間で循環させるように構成されている。
【００２６】
図１および図２を参照して、圧力センサ１１は、筺体１内の気圧と、浴槽２０の湯水の圧力との差圧を検知可能に構成されている。本実施の形態の圧力センサ１１は、ケース１１ａと、ダイヤフラム１１ｂとを主に有している。ケース１１ａは図中矢印方向から浴槽２０の湯水を受け入れ可能な受け入れ口１１ｃと、受け入れ口１１ｃからダイヤフラム１１ｂに通じる貫通孔１１ｄとを有している。ケース１１ａはダイヤフラム１１ｂで仕切られた第１の室Ｓ１と、第２の室Ｓ２とを有している。第１の室Ｓ１の第１の圧力Ｐ１は筺体１内の気圧となる。第２の室Ｓ２の第２の圧力Ｐ２は浴槽２０の湯水の圧力となる。この湯水の圧力は、浴槽２０の湯水の水圧と浴槽２０の気圧との合計の圧力となる。
【００２７】
ダイヤフラム１１ｂは、第１の圧力Ｐ１と第２の圧力Ｐ２との差圧により第１の室Ｓ１側に凸状に変形可能に構成されている。ダイヤフラム１１ｂには、たとえば不純物拡散によりゲージが形成されている。ゲージは、平面視におけるダイヤフラム１１ｂの中心から９０度ずつ回転した位置に４箇所形成されていてもよい。この場合、４個のゲージは同一方向に短冊状に並んで形成されていてもよい。これらの４個のゲージはホイーストンブリッジ回路を構成するように結線されている。このホイーストンブリッジ回路に電圧を印加すると、ダイヤフラム１１ｂの変形により４個のゲージの抵抗が変動するため、電圧値が変動する。したがって、圧力センサは、ダイヤフラム１１ｂの変形に応じた電圧値の変動に基づいて圧力を検知することができる。
【００２８】
図１および図２を参照して、制御部１２は、送風機３の回転数の変化に伴う筺体１内の気圧の変動に基づいて圧力センサ１１で検知した差圧を補正するように構成されている。制御部１２は、送風機３および圧力センサ１１に電気的に接続されている。制御部１２は、圧力検知手段１２ａと、回転数検知部１２ｂと、記憶部１２ｃと、制御手段１２ｄとを主に有している。圧力検知手段１２ａは、圧力センサ１１の圧力を検知するためのものである。回転数検知部１２ｂは送風機３の回転数を検知可能なものである。たとえば、回転数検知部１２ｂは、モータ３ｂの印加電流値に基づいて送風機３の羽根３ａの回転数を算出するように構成されている。
【００２９】
記憶部１２ｃは送風機３の回転数と筺体１内の気圧の変動との対応関係を記憶するものである。表１を参照して、記憶部１２ｃは送風機３のファン回転数と、筺体１内の負圧レベルとの対応関係を記憶している。なお、表１では見易くするため３個のファン回転数と負圧レベルが記載されているが、２個以上であればよく、個数が多い程細かく互いの対応関係を規定することができる。
【００３０】
【表１】
2015121360.tif 000003
【００３１】
送風機３の回転数と筺体１内の気圧の変動との対応関係は、第１および第２の回転数と、第１および第２の回転数のそれぞれに対応する第１および第２の気圧の変動とによって規定される。表１に示すように、羽根３ａの第１の回転数（たとえば表１中０ｒｐｍ）から第２の回転数（たとえば表１中２０００ｒｐｍ）への変化とそれぞれに対応する第１の気圧の変動（負圧レベル）０ｍｍＨ2Ｏと第２の気圧の変動（負圧レベル）−３ｍｍＨ2Ｏとによって対応関係が規定される。具体的には、羽根３ａの回転数がたとえば表１中０ｒｐｍから２０００ｒｐｍに変化すると、筺体１内の気圧が０ｍｍＨ2Ｏから−３ｍｍＨ2Ｏに変化する。したがって、この場合には、この−３ｍｍＨ2Ｏが筺体１内の気圧の変動となる。なお、１ｍｍＨ2Ｏは、９．８０６６５Ｐａである。
【００３２】
同様に、羽根３ａの回転数がたとえば表１中０ｒｐｍから４０００ｒｐｍになると、筺体１内の気圧が０ｍｍＨ2Ｏから−１５ｍｍＨ2Ｏとなる。したがって、この−１５ｍｍＨ2Ｏが筺体１内の気圧の変動となる。なお、たとえば、羽根３ａの回転により筺体１内の負圧レベルが−１５ｍｍＨ2Ｏとなると、圧力センサで検出される浴槽水位は１５ｍｍ上昇する。
【００３３】
また、第１および第２の回転数の間の第３の回転数と、第３の回転数に対応する第３の気圧の変動は、第１および第２の回転数に基づく線形補間により算出されてもよい。つまり、第１の回転数（たとえば表１中０ｒｐｍ）と第２の回転数（たとえば表１中２０００ｒｐｍ）との間の第３の回転数（たとえば１０００ｒｐｍ）に対応する第３の気圧の変動（負圧レベル）は第１の回転数（たとえば表１中０ｒｐｍ）と第２の回転数（たとえば表１中２０００ｒｐｍ）に基づく線形補間により算出されてもよい。
【００３４】
制御手段１２ｄは、圧力検知手段１２ａと、回転数検知部１２ｂとからの判定結果および記憶部１２ｃからの信号によって、送風機３の回転数に伴う筺体１内の気圧の変動に基づいて圧力センサ１１で検知した差圧を補正するように構成されている。
【００３５】
以上のように、制御部１２は、記憶部１２ｃに記憶された対応関係に基づいて、回転数検知部１２ｂによって検知された送風機３の回転数から導出された筺体１内の気圧の変動に基づいて圧力センサ１１で検知した差圧を補正するように構成されている。
【００３６】
また、送風機３の回転数と筺体１内の気圧の変動との対応関係は、熱源機が設置された状態で、熱源機を運転することで新たに作成されてもよい。また、送風機３の回転数と筺体１内の気圧の変動との対応関係は、熱源機が設置された状態で、熱源機を運転することであらかじめ記憶された値を補正して作成されてもよい。
【００３７】
次に、再び図１を参照して、本実施の形態における熱源機の基本動作について説明する。本実施の形態の熱源機の給湯運転においては、カラン等が操作されて、出湯要求があれば、バーナ２で生成された燃焼ガスで熱交換器４が加熱される。これにより、熱交換器４の伝熱管を流通する水が加熱され、所望の温度の湯がカラン等から出湯される。また、浴槽運転においては、制御部１２によって浴槽２０の湯水の水位が検知される。これにより、所望の湯水の量が浴槽２０に貯められる。
【００３８】
次に、図１、図３および図４を参照して、本実施の形態における熱源機での浴槽水位の検知動作について説明する。
【００３９】
筺体１内の気圧Ｐ１と浴槽２０の湯水の圧力Ｐ２との差圧ＰＡ（ｍｍＨ2Ｏ）が圧力センサ１１で検知され、この差圧ＰＡが圧力検知手段１２ａによって検知される（ステップＳ１０）。次に、回転数検知部１２ｂによって送風機３の羽根３ａの回転数Ｒ１（ｒｐｍ）が検知される（ステップＳ２０）。次に、この回転数Ｒ１から筺体１内の気圧の変動（負圧レベル）ＰＢ（ｍｍＨ2Ｏ）が導出される。つまり、記憶部１２ｃに記憶されたファン回転数（ｒｐｍ）と負圧レベル（ｍｍＨ2Ｏ）との対応関係（表１参照）に基づいて、回転数Ｒ１から筺体１内の気圧の変動（負圧レベル）ＰＢが制御手段１２ｄによって導出される。具体的には、回転数検知部１２ｂによって検知された回転数Ｒ１がたとえば２０００ｒｐｍの場合には、筺体１内の気圧の変動（負圧レベル）ＰＢが−３ｍｍＨ2Ｏと導出される。そして、この導出された筺体１内の気圧の変動（負圧レベル）ＰＢに基づいて圧力センサ１１で検知された差圧ＰＡが補正される（ステップＳ３０）。具体的には、回転数検知部１２ｂによって検知された回転数Ｒ１がたとえば２０００ｒｐｍの場合には、差圧ＰＡの値から負圧レベルＰＢの値（−３ｍｍＨ2Ｏ）を減じることで差圧ＰＡが補正される。つまり、差圧ＰＡに３ｍｍＨ2Ｏを減じた値が負圧の影響を除いた差圧として算出される。なお、回転数検知部１２ｂによって検知された回転数Ｒ１がたとえば３０００ｒｐｍの場合には、負圧レベルＰＢは−３ｍｍＨ2Ｏと−１５ｍｍＨ2Ｏとから線形補間によって導出される。
【００４０】
これにより、送風機３の羽根３ａの回転によって筺体１内が大気圧に対して負圧になった状態でも、羽根３ａの回転数Ｒ１と筺体１内の気圧の変動（負圧レベル）ＰＢとの対応関係に基づいて圧力センサ１１で検知された差圧ＰＡを補正することができる。このため、本実施の形態における熱源機は、浴槽水位を正確に検知することができる。
【００４１】
また、図５を参照して、本実施の形態における変形例１に示すように、送風機３の羽根３ａの回転数Ｒ１と筺体１内の気圧の変動（負圧レベル）ＰＢとの対応関係は、熱源機が設置された状態で、熱源機を運転することで新たに作成されてもよい。
【００４２】
本実施の形態における変形例１の熱源機の浴槽水位の検知動作においては、熱源機が設置された状態で、筺体１内の気圧Ｐ１と浴槽２０の湯水の圧力Ｐ２との差圧ＰＡが圧力センサ１１で検知され、この差圧ＰＡが圧力検知手段１２ａによって検知される（ステップＳ１０）。次に、回転数検知部１２ｂによって送風機３の羽根３ａの回転数Ｒ１が検知される（ステップＳ２０）。
【００４３】
次に、送風機３の羽根３ａの回転数Ｒ１と筺体１内の気圧の変動（負圧レベル）ＰＢとの対応関係が、熱源機が実際に設置された状態で熱源機を運転することで新規に作成される（ステップＳ４０）。つまり、複数の回転数Ｒ１における負圧レベルＰＢが測定されることで、回転数Ｒ１と負圧レベルＰＢとの対向関係が新たに作成される。たとえば、回転数Ｒ１が０ｒｐｍのときの負圧レベルＰＢが０ｍｍＨ2Ｏであり、回転数Ｒ１が２０００ｒｐｍのときの負圧レベルＰＢが−５ｍｍＨ2Ｏであり、回転数Ｒ１が４０００ｒｐｍのときの負圧レベルＰＢが−２０ｍｍＨ2Ｏであるとの対応関係が新たに作成される。この新規に作成された対応関係は記憶部１２ｃに記憶される。次に、この新規作成された対応関係に基づいて回転数検知部１２ｂによって検知された回転数Ｒ１から筺体１内の気圧の変動（負圧レベル）ＰＢが導出される。つまり、記憶部１２ｃに記憶された、新たに作成された対応関係におけるファン回転数と筺体１内の気圧の変動（負圧レベル）ＰＢとに基づいて、回転数Ｒ１から筺体１内の気圧の変動（負圧レベル）ＰＢが制御手段１２ｄによって導出される。具体的には、回転数検知部１２ｂによって検知された回転数Ｒ１がたとえば２０００ｒｐｍの場合には、筺体１内の気圧の変動（負圧レベル）ＰＢが−５ｍｍＨ2Ｏと導出される。そして、この導出された筺体１内の気圧の変動（負圧レベル）ＰＢに基づいて圧力センサ１１で検知された差圧ＰＡが補正される（ステップＳ３０）。具体的には、回転数検知部１２ｂによって検知された回転数Ｒ１がたとえば２０００ｒｐｍの場合には、差圧ＰＡの値から負圧レベルＰＢの値（−５ｍｍＨ2Ｏ）を減じることで差圧ＰＡが補正される。つまり、差圧ＰＡに５ｍｍＨ2Ｏを減じた値が負圧の影響を除いた差圧として算出される。これにより、熱源機が設置された状況を反映して圧力センサ１１で検知した差圧ＰＡを補正することができる。
【００４４】
また、図６を参照して、本実施の形態における変形例２に示すように、送風機３の羽根３ａの回転数Ｒ１と筺体１内の気圧の変動（負圧レベル）ＰＢとの対応関係は、熱源機が設置された状態で、熱源機を運転することであらかじめ記憶された値を補正して作成されてもよい。
【００４５】
本実施の形態における変形例２の熱源機の浴槽水位の検知動作においては、熱源機が設置された状態で、筺体１内の気圧Ｐ１と浴槽２０の湯水の圧力Ｐ２との差圧ＰＡが圧力センサ１１で検知され、この差圧ＰＡが圧力検知手段１２ａによって検知される（ステップＳ１０）。次に、回転数検知部１２ｂによって送風機３の羽根３ａの回転数Ｒ１が検知される（ステップＳ２０）。
【００４６】
次に、送風機３の羽根３ａの回転数Ｒ１と筺体１内の気圧の変動（負圧レベル）ＰＢとの対応関係が、熱源機が実際に設置された状態で熱源機を運転することであらかじめ記憶された値を補正して作成される（ステップＳ５０）。つまり、熱源機が実際に設置された状態で熱源機を運転して測定された複数の回転数Ｒ１における負圧レベルＰＢに基づいて、回転数Ｒ１と負圧レベルＰＢとの対向関係のあらかじめ記憶された値が補正される。回転数Ｒ１と負圧レベルＰＢとの対応関係において、たとえば、回転数Ｒ１が２０００ｒｐｍのときの負圧レベルＰＢがあらかじめ記憶された値である−３ｍｍＨ2Ｏから−５ｍｍＨ2Ｏに補正され、回転数Ｒ１が４０００ｒｐｍのときの負圧レベルＰＢが−１５ｍｍＨ2Ｏから−２０ｍｍＨ2Ｏに補正される。この補正して作成された対応関係は記憶部１２ｃに記憶される。次に、補正して作成された対応関係に基づいて、回転数検知部１２ｂによって検知された回転数Ｒ１から筺体１内の気圧の変動（負圧レベル）ＰＢが導出される。つまり、記憶部１２ｃに記憶された、あらかじめ記憶された値を補正して作成された対応関係におけるファン回転数と筺体１内の気圧の変動（負圧レベル）ＰＢとに基づいて、回転数Ｒ１から筺体１内の気圧の変動（負圧レベル）ＰＢが制御手段１２ｄによって導出される。具体的には、回転数検知部１２ｂによって検知された回転数Ｒ１がたとえば２０００ｒｐｍの場合には、筺体１内の気圧の変動（負圧レベル）ＰＢが−５ｍｍＨ2Ｏと導出される。そして、この導出された筺体１内の気圧の変動（負圧レベル）ＰＢに基づいて圧力センサ１１で検知された差圧ＰＡが補正される（ステップＳ３０）。具体的には、回転数検知部１２ｂによって検知された回転数Ｒ１がたとえば２０００ｒｐｍの場合には、差圧ＰＡの値から負圧レベルＰＢの値（−５ｍｍＨ2Ｏ）を減じることで差圧ＰＡが補正される。つまり、差圧ＰＡに５ｍｍＨ2Ｏを減じた値が負圧の影響を除いた差圧として算出される。これにより、熱源機が設置された状況を反映して圧力センサ１１で検知した差圧ＰＡを補正することができる。
【００４７】
次に、本実施の形態における熱源機の作用効果について説明する。
本実施の形態の熱源機によれば、送風機３の回転数に伴って筺体１内の気圧が負圧になっても、制御部１２が送風機３の羽根３ａの回転数の変化に伴う筺体１内の気圧の変動に基づいて圧力センサ１１で検知した差圧を補正するため、浴槽水位を正確に検知することができる。つまり、浴槽水位の誤検知を抑制することができる。
【００４８】
本実施の形態の熱源機においては、制御部１２は、記憶部１２ｃに記憶された対応関係に基づいて、回転数検知部１２ｂによって検知された送風機の回転数から導出された筺体１内の気圧の変動に基づいて圧力センサで検知した差圧を補正することができる。これにより、浴槽水位を正確に検知することができる。
【００４９】
本実施の形態の熱源機においては、回転数検知部１２ｂは、モータ３ｂの印加電流値に基づいて送風機３の羽根３ａの回転数を算出するように構成されている。このため、モータ３ｂの印加電流値によって、送風機３の羽根３ａの回転数を算出することができる。
【００５０】
本実施の形態の熱源機において、送風機３の回転数と筺体１内の気圧の変動との対応関係は、第１および第２の回転数と、第１および第２の回転数のそれぞれに対応する第１および第２の気圧の変動とによって規定される。このため、送風機３の羽根３ａの回転数と筺体１内の気圧の変動との対応関係に基づいて圧力センサ１１で検知した差圧を補正することができる。
【００５１】
本実施の形態の熱源機において、第１および第２の回転数の間の第３の回転数と、第３の回転数に対応する第３の気圧の変動は、第１および第２の回転数に基づく線形補間により算出される。このため、あらかじめ記憶されていない第３の回転数に対する第３の気圧の変動を正確に算出することできる。
【００５２】
本実施の形態の変形例１の熱源機において、送風機３の羽根３ａの回転数と筺体１内の気圧の変動との対応関係は、熱源機が設置された状態で、熱源機を運転することで新たに作成される。このため、熱源機が設置された状態に応じて送風機３の羽根３ａの回転数と筺体１内の気圧の変動との対応関係を作成することができる。これにより、熱源機が設置された状態に応じて、圧力センサ１１で検知した差圧を補正することができる。また、熱源機の個体差に応じて、圧力センサ１１で検知した差圧を補正することもできる。
【００５３】
本実施の形態の変形例２の熱源機において、送風機３の羽根３ａの回転数と筺体１内の気圧の変動との対応関係は、熱源機が設置された状態で、熱源機を運転することであらかじめ記憶された値を補正して作成される。このため、熱源機が設置された状態に応じて送風機３の羽根３ａの回転数と筺体１内の気圧の変動との対応関係を迅速に作成することができる。これにより、熱源機が設置された状態に応じて、圧力センサ１１で検知した差圧を迅速に補正することができる。また、熱源機の個体差に応じて、圧力センサで検知した差圧を補正することもできる。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５５】
１  筺体、１ａ  排気口、２  バーナ、３  送風機、３ａ  羽根、３ｂ  モータ、４  熱交換器、４ａ  給湯側熱交換器、４ｂ  風呂側熱交換器、５  給水配管、５ａ  入水口、６  給湯配管、６ａ  出湯口、７  三方弁、８  戻り配管、９  往き配管、１０  ポンプ、１１  圧力センサ、１１ａ  ケース、１１ｂ  ダイヤフラム、１１ｃ  受け入れ口、１１ｄ  貫通孔、１２  制御部、１２ａ  圧力検知手段、１２ｂ  回転数検知部、１２ｃ  記憶部、１２ｄ  制御手段、１３  二方弁、２０  浴槽。
【図１】
2015121360.tif 000004
【図２】
2015121360.tif 000005
【図３】
2015121360.tif 000006
【図４】
2015121360.tif 000007
【図５】
2015121360.tif 000008
【図６】
2015121360.tif 000009